(57)【特許請求の範囲】
【請求項１】
シャフトを有するゴルフクラブであって、
以下の数式で表されるＡが０．１１５０以上であり、当該シャフトの外面のアドレス時にプレイヤから見える部分に、当該シャフトの手元から先端方向に打球方向へと傾斜する模様が施されている、
ゴルフクラブ。
Ａ＝（Ｂ−Ｔ）／６４０＋（（Ｂ−Ｃ）−（Ｂ−Ｔ）／２）／１０００＋１／Ｔ
但し、Ｔは前記シャフトの先端から２１０ｍｍの位置における曲げ剛性であり、Ｃは前記シャフトの先端から５３０ｍｍの位置における曲げ剛性であり、Ｂは前記シャフトの先端から８５０ｍｍの位置における曲げ剛性であり、曲げ剛性の単位はＮ・ｍ2である。また、曲げ剛性（ＥＩ）は、以下の数式で表される。
ＥＩ＝Ｐ×Ｌ3／（４８×ｄ）
但し、Ｐは３点曲げの圧力（Ｎ）であり、Ｌは３点曲げの２点支持間距離（ｍ）であり、ｄは３点曲げの変位距離（ｍ）である。また、Ｌは０．３（公差：−１．０ｍｍ〜＋１．０ｍｍ）であり、ｄは０．００２（公差：０ｍｍ〜０．１５ｍｍ）である。
【請求項２】
シャフトを有するゴルフクラブであって、
以下の数式で表されるＡが０．１０６５以下であり、当該シャフトの外面のアドレス時にプレイヤから見える部分に、当該シャフトの手元から先端方向に打球方向の反対方向へと傾斜する模様が施されている、
ゴルフクラブ。
Ａ＝（Ｂ−Ｔ）／６４０＋（（Ｂ−Ｃ）−（Ｂ−Ｔ）／２）／１０００＋１／Ｔ
但し、Ｔは前記シャフトの先端から２１０ｍｍの位置における曲げ剛性であり、Ｃは前記シャフトの先端から５３０ｍｍの位置における曲げ剛性であり、Ｂは前記シャフトの先端から８５０ｍｍの位置における曲げ剛性であり、曲げ剛性の単位はＮ・ｍ2である。また、曲げ剛性（ＥＩ）は、以下の数式で表される。
ＥＩ＝Ｐ×Ｌ3／（４８×ｄ）
但し、Ｐは３点曲げの圧力（Ｎ）であり、Ｌは３点曲げの２点支持間距離（ｍ）であり、ｄは３点曲げの変位距離（ｍ）である。また、Ｌは０．３（公差：−１．０ｍｍ〜＋１．０ｍｍ）であり、ｄは０．００２（公差：０ｍｍ〜０．１５ｍｍ）である。
【請求項３】
前記模様は、前記傾斜する方向に延びる直線及び／又は曲線を含む請求項１又は２記載のゴルフクラブ。
【発明の詳細な説明】
【技術分野】
【０００１】
本発明は、ゴルフクラブに関する。
【背景技術】
【０００２】
従来より、シャフトの外面に、アドレス時における操作性等を考慮した模様を施したゴルフクラブが提案されている（例えば、特許文献１参照）。こうしたゴルフクラブでは、シャフトの軸方向に対して番手に応じた傾斜角度を有する直線から成る模様をシャフトの外面に施すことにより、アドレス時におけるクラブヘッドのフェース面の傾きをプレイヤが容易に認識できるようになっている。
【０００３】
また、プレイヤのスキルや好みに応じた様々な性能のシャフトを有するゴルフクラブが提供されており、例えば、飛距離を優先したシャフトや安定した方向性を優先したシャフト等を有するものが提供されている。こうしたシャフトの性能に関係するパラメータの１つとして曲げ剛性を挙げることができ、例えば、先端と手元との剛性差が大きいシャフトは球の捕まりが良く（右利きの場合、打球が左に飛び易く）、先端と手元との剛性差が小さいシャフトは球の捕まりが悪い（右利きの場合、打球が右に飛び易い）傾向にあると考えられている。
【先行技術文献】
【特許文献】
【０００４】
【特許文献１】特開平１１−４７３２６号公報
【発明の概要】
【発明が解決しようとする課題】
【０００５】
しかしながら、こうしたシャフトの性能は、ゴルフクラブの外観からは認識することができないため、シャフトの性能をイメージしながらスイングを行うことはプレイヤにとって容易とは言えない。また、シャフトの外面に模様を施した上述したゴルフクラブは、フェース面の傾きの管理は容易になるものの、その外観からシャフトの性能をイメージできるものではない。さらに、球の捕まりは、先端と手元との剛性差の影響が大きいと考えられるものの、その定量化は十分になされていない。
【０００６】
本発明の実施形態は、外観からシャフトの性能を認識できるゴルフクラブを提供することを目的の一つとする。また、本発明の実施形態は、球の捕まりに関するシャフトの性能を定量化することを目的の一つとする。本発明の実施形態の他の目的は、本明細書全体を参照することにより明らかとなる。
【課題を解決するための手段】
【０００７】
本発明の一実施形態に係るゴルフクラブは、シャフトを有するゴルフクラブであって、以下の数式で表されるＡが０．１１５０以上であり、当該シャフトの外面のアドレス時にプレイヤから見える部分に、当該シャフトの手元から先端方向に打球方向へと傾斜する模様が施されている。
Ａ＝（Ｂ−Ｔ）／６４０＋（（Ｂ−Ｃ）−（Ｂ−Ｔ）／２）／１０００＋１／Ｔ
但し、Ｔは前記シャフトの先端から２１０ｍｍの位置における曲げ剛性であり、Ｃは前記シャフトの先端から５３０ｍｍの位置における曲げ剛性であり、Ｂは前記シャフトの先端から８５０ｍｍの位置における曲げ剛性であり、曲げ剛性の単位はＮ・ｍ2である。また、曲げ剛性（ＥＩ）は、以下の数式で表される。
ＥＩ＝Ｐ×Ｌ3／（４８×ｄ）
但し、Ｐは３点曲げの圧力（Ｎ）であり、Ｌは３点曲げの２点支持間距離（ｍ）であり、ｄは３点曲げの変位距離（ｍ）である。また、Ｌは０．３（公差：−１．０ｍｍ〜＋１．０ｍｍ）であり、ｄは０．００２（公差：０ｍｍ〜０．１５ｍｍ）である。
【０００８】
本発明の他の実施形態に係るゴルフクラブは、以下の数式で表されるＡが０．１０６５以下であり、当該シャフトの外面のアドレス時にプレイヤから見える部分に、当該シャフトの手元から先端方向に打球方向の反対方向へと傾斜する模様が施されている。
Ａ＝（Ｂ−Ｔ）／６４０＋（（Ｂ−Ｃ）−（Ｂ−Ｔ）／２）／１０００＋１／Ｔ
但し、Ｔは前記シャフトの先端から２１０ｍｍの位置における曲げ剛性であり、Ｃは前記シャフトの先端から５３０ｍｍの位置における曲げ剛性であり、Ｂは前記シャフトの先端から８５０ｍｍの位置における曲げ剛性であり、曲げ剛性の単位はＮ・ｍ2である。また、曲げ剛性（ＥＩ）は、以下の数式で表される。
ＥＩ＝Ｐ×Ｌ3／（４８×ｄ）
但し、Ｐは３点曲げの圧力（Ｎ）であり、Ｌは３点曲げの２点支持間距離（ｍ）であり、ｄは３点曲げの変位距離（ｍ）である。また、Ｌは０．３（公差：−１．０ｍｍ〜＋１．０ｍｍ）であり、ｄは０．００２（公差：０ｍｍ〜０．１５ｍｍ）である。
【発明の効果】
【０００９】
本発明の様々な実施形態によって、外観からシャフトの性能を認識できるゴルフクラブを提供したり、球の捕まりに関するシャフトの性能を定量化することができる。
【図面の簡単な説明】
【００１０】
【図１】一実施形態に係るゴルフクラブ１０の外観図。
【図２】ゴルフクラブ１０のシャフトＳに施された模様の一例を示す図。
【図３】ゴルフクラブ１０のシャフトＳに施された模様の一例を示す図。
【図４】ゴルフクラブ１０のシャフトＳに施された模様の一例を示す図。
【図５】ゴルフクラブ１０のシャフトＳに施された模様の一例を示す図。
【図６】ゴルフクラブ１０のシャフトＳに施された模様の一例を示す図。
【図７】他の実施形態に係るゴルフクラブ２０のシャフトＳに施された模様の一例を示す図。
【発明を実施するための形態】
【００１１】
以下、様々な実施形態を適宜図面を参照して説明する。なお、図面における共通する構成要素には同一の参照符号が付されている。
【００１２】
図１は、本発明の一実施形態に係るゴルフクラブ１０の構成を示す構成図である。図１に示すように、ゴルフクラブ１０は、天然ゴム又は合成ゴム等によって形成されたグリップＧと、このグリップＧに結合し繊維強化樹脂又は金属材料等によって管状に形成されたシャフトＳと、このシャフトＳにホーゼルＨＺを介して結合したゴルフクラブヘッド（以下、単に「ヘッド」と言うことがある。）１００とを備え、右利き用のゴルフクラブとして構成されている。
【００１３】
一実施形態におけるゴルフクラブ１０は、以下の＜数式１＞で表されるＡが０．１１５０以上であり、このシャフトＳの外面のアドレス時にプレイヤから見える部分に、シャフトＳの手元から先端方向に打球方向（左方向）へと傾斜する模様が施されている。
＜数式１＞
Ａ＝（Ｂ−Ｔ）／６４０＋（（Ｂ−Ｃ）−（Ｂ−Ｔ）／２）／１０００＋１／Ｔ
但し、ＴはシャフトＳの先端から２１０ｍｍの位置における曲げ剛性であり、ＣはシャフトＳの先端から５３０ｍｍの位置における曲げ剛性であり、ＢはシャフトＳの先端から８５０ｍｍの位置における曲げ剛性であり、曲げ剛性の単位はＮ・ｍ2である。また、曲げ剛性（ＥＩ）は、３点曲げによる測定値を用いた以下の＜数式２＞によって表される。
＜数式２＞
ＥＩ＝Ｐ×Ｌ3／（４８×ｄ）
但し、Ｐは３点曲げの圧力（Ｎ）であり、Ｌは３点曲げの２点支持間距離（ｍ）であり、ｄは３点曲げの変位距離（ｍ）である。また、Ｌは０．３（公差：−１．０ｍｍ〜＋１．０ｍｍ）であり、ｄは０．００２（公差：０ｍｍ〜０．１５ｍｍ）である。即ち、シャフトＳの先端から２１０ｍｍの位置、５３０ｍｍの位置、及び、８５０ｍｍの位置において、各位置から先端方向及び手元方向に０．１５ｍ移動した位置を支持点とし（２点支持間距離は０．３ｍ）、上方から圧力を加えて当該位置の変位距離が０．００２ｍ（２ｍｍ）となったときの圧力Ｐの値を測定して、曲げ剛性ＥＩを求めた。
【００１４】
ここで、＜数式１＞について説明する。この＜数式１＞は、球の捕まりが良い傾向にあるシャフトほどＡの値が大きくなり、球の捕まりが悪い傾向にあるシャフトほどＡの値が小さくなるように構成されている。右辺第１項（（Ｂ−Ｔ）／６４０）は、シャフトＳの手元の曲げ剛性（Ｂ）から先端の曲げ剛性（Ｔ）を減じた値に関する項であり、手元の曲げ剛性（Ｂ）と先端の曲げ剛性（Ｔ）との差が大きいほどその値は大きくなり、手元の曲げ剛性（Ｂ）と先端の曲げ剛性（Ｔ）との差が小さいほどその値は小さくなる。
【００１５】
＜数式１＞の右辺第２項（（（Ｂ−Ｃ）−（Ｂ−Ｔ）／２）／１０００）は、シャフトＳの手元の曲げ剛性（Ｂ）から中央の曲げ剛性（Ｃ）を減じた値から、手元の曲げ剛性（Ｂ）から先端の曲げ剛性（Ｔ）を減じて２で除した値を減じた値に関する項である。この項は、中央の曲げ剛性（Ｃ）が、手元の曲げ剛性（Ｂ）及び先端の曲げ剛性（Ｔ）の中間値である場合には、その値は０（（Ｂ−（Ｂ＋Ｔ）／２）−（Ｂ−Ｔ）／２＝０）となり、中央の曲げ剛性（Ｃ）が先端の曲げ剛性（Ｔ）に近づくほど、その値は大きくなり（正の値となり）、中央の曲げ剛性（Ｃ）が手元の曲げ剛性（Ｂ）に近づくほど、その値は小さくなる（負の値となる）。即ち、この右辺第二項は、シャフトＳの曲げ剛性が手元から先端へと減少していく過程において、手元から中央までの減少幅が大きいほどその値は大きくなり、手元から中央までの減少幅が小さいほどその値は小さくなる。
【００１６】
＜数式１＞の右辺第３項（１／Ｔ）は、シャフトＳの先端の曲げ剛性（Ｔ）の逆数であり、先端の曲げ剛性（Ｔ）が小さいほどその値は大きくなり、先端の曲げ剛性（Ｔ）が大きいほどその値は小さくなる。なお、右辺第１項の（１／６４０）及び右辺第２項の（１／１０００）は、各項の重み係数である。
【００１７】
こうして構成された＜数式１＞によって表されるＡは、上述したように、手元の曲げ剛性（Ｂ）と先端の曲げ剛性（Ｔ）との差が大きいほど（右辺第１項）、手元の曲げ剛性（Ｂ）から中央の曲げ剛性（Ｃ）までの減少幅が大きいほど（右辺第２項）、先端の曲げ剛性（Ｔ）が小さいほど（右辺第３項）、値が大きくなり、球の捕まりが良い傾向を示すことになる。この＜数式１＞を用いたシミュレーションにより、Ａが０．１１５０以上のときに球の捕まりが良い傾向となることが見出された。
【００１８】
ゴルフクラブ１０のシャフトＳの外面に施される模様の様々な例を図２−６に示す。図２−６は、シャフトＳの外面のアドレス時にプレイヤから見える側の面を示している。まず、図２の例では、シャフトＳの手元から先端方向に打球方向（左方向）へと傾斜する複数本（この例では６本）の実線による直線が、所定の間隔で略平行にシャフトＳの外面に施されている。これらの直線は、図示するように、シャフトＳの手元側端部（図の下側端部）から、シャフトＳの先端側端部（図の上側端部）から手元方向に所定距離（例えば、１５ｃｍ）移動した位置まで延びている。
【００１９】
次に、図３の例では、シャフトＳの手元から先端方向に打球方向（左方向）へと傾斜する複数本（この例では６本）の点線による直線が、所定の間隔で略平行にシャフトＳの外面に施されている。これらの直線は、図２の例と同様に、シャフトＳの手元側端部から、シャフトＳの先端側端部から手元方向に所定距離（例えば、１５ｃｍ）移動した位置まで延びている。
【００２０】
続いて、図４の例では、色及び／又は柄の異なる２つの領域の境界を構成する直線が、シャフトＳの手元から先端方向に打球方向（左方向）へと傾斜する模様が施されている。
【００２１】
次に、図５の例では、複数本（この例では３本）の線が所定の間隔でシャフトＳの外面に施されている。これらの線は、図示するように、シャフトＳの手元側端部から、シャフトＳの先端側端部から手元方向に所定距離（例えば、１５ｃｍ）移動した位置まで延びており、手元側端部から先端方向にシャフトＳの中心軸と略平行に直線状に形成され、その後、先端側端部付近において、シャフトＳの手元から先端方向に打球方向（左方向）へと傾斜する曲線状に形成されている。なお、これらの線を、先端側端部付近において曲線状に形成するのではなく、手元側端部から先端方向に（シャフトＳ全体を通して）、打球方向（左方向）へと傾斜する曲線状に形成することもできる。
【００２２】
続いて、図６の例では、シャフトＳの手元から先端方向に打球方向（左方向）へと傾斜する複数本の実線による直線が、所定の間隔で略平行にシャフトＳの外面に施されている。これらの直線は、図示するように、シャフトＳの軸方向中央付近から先端側端部まで延びている。
【００２３】
以上、図２−６を用いて一実施形態におけるゴルフクラブ１０のシャフトＳの外面に施される模様の様々な例を説明したが、これらは例示であって、その他の様々な模様を適用し得る。例えば、模様を構成する直線や曲線の数や太さは例示したものに限定されない。また、文字、記号、又は図形等を線状に配置して模様を構成したり、色の濃淡の境界を線状にして模様を構成することもできる。さらに、シャフトＳの外面のうち模様を施す部分は例示したものに限定されず、例えば、シャフトＳの外面の全面に模様を施しても良いし、アドレス時にプレイヤから見える部分の全部又は一部に模様を施しても良い。
【００２４】
こうして構成された一実施形態におけるゴルフクラブ１０は、上述した＜数式１＞で表されるＡが０．１１５０以上であり、球の捕まりが良い傾向にあるシャフトを有するゴルフクラブであると言える。そして、シャフトＳの外面には、シャフトＳの手元から先端方向に打球方向（左方向）へと傾斜する模様が施されているから、プレイヤは、球の捕まりが良いというゴルフクラブ１０のシャフトの性能を外観から認識することができる。さらに、こうした模様は、シャフトＳの外面のうち、アドレス時にプレイヤから見える部分に施されているから、プレイヤはアドレス時にシャフトの性能を直感することができ、より良好なスイングを実現し易くなる。また、＜数式１＞で表されるＡによって、球の捕まりが良い傾向を有するシャフトの性能を定量化することができる。
【００２５】
次に、他の実施形態に係るゴルフクラブ２０について説明する。他の実施形態に係るゴルフクラブ２０は、一実施形態に係るゴルフクラブ１０と同様に、グリップＧと、シャフトＳと、ゴルフクラブヘッド（以下、単に「ヘッド」と言うことがある。）１００とを備え、右利き用のゴルフクラブとして構成されている。
【００２６】
他の実施形態におけるゴルフクラブ２０は、上述した＜数式１＞で表されるＡが０．１０６５以下であり、このシャフトＳの外面のアドレス時にプレイヤから見える部分に、シャフトＳの手元から先端方向に打球方向の反対方向（右方向）へと傾斜する模様が施されている。＜数式１＞によって表されるＡは、上述したように、手元の曲げ剛性（Ｂ）と先端の曲げ剛性（Ｔ）との差が小さいほど（右辺第１項）、手元の曲げ剛性（Ｂ）から中央の曲げ剛性（Ｃ）までの減少幅が小さいほど（右辺第２項）、先端の曲げ剛性（Ｔ）が大きいほど（右辺第３項）、値が小さくなり、球の捕まりが悪い傾向を示すことになる。この＜数式１＞を用いたシミュレーションにより、Ａが０．１０６５以下のときに球の捕まりが悪い傾向となることが見出された。
【００２７】
ゴルフクラブ２０のシャフトＳの外面に施される模様の例を図７に示す。図７は、シャフトＳの外面のアドレス時にプレイヤから見える側の面を示している。この例では、シャフトＳの手元から先端方向に打球方向の反対方向（右方向）へと傾斜する複数本（この例では６本）の実線による直線が、所定の間隔で略平行にシャフトＳの外面に施されている。これらの直線は、図示するように、シャフトＳの手元側端部（図の下側端部）から、シャフトＳの先端側端部（図の上側端部）から手元方向に所定距離（例えば、１５ｃｍ）移動した位置まで延びている。なお、他の実施形態におけるゴルフクラブ２０のシャフトＳの外面に施される模様は、一実施形態におけるゴルフクラブ１０と同様に、その他の様々な模様を適用することができる。例えば、図３−６に例示した一実施形態におけるゴルフクラブ１０のシャフトＳの外面に施される模様と同様であってシャフトＳの手元から先端方向に打球方向の反対方向（右方向）へと傾斜する模様を含む、様々な模様を適用することができる。
【００２８】
こうして構成された他の実施形態におけるゴルフクラブ２０は、上述した＜数式１＞で表されるＡが０．１０６５以下であり、球の捕まりが悪い傾向にあるシャフトを有するゴルフクラブであると言える。そして、シャフトＳの外面には、シャフトＳの手元から先端方向に打球方向の反対方向（右方向）へと傾斜する模様が施されているから、プレイヤは、球の捕まりが悪いというゴルフクラブ２０のシャフトの性能を外観から認識することができる。さらに、こうした模様は、シャフトＳの外面のうち、アドレス時にプレイヤから見える部分に施されているから、プレイヤはアドレス時にシャフトの性能を直感することができ、より良好なスイングを実現し易くなる。また、＜数式１＞で表されるＡによって、球の捕まりが悪い傾向を有するシャフトの性能を定量化することができる。
【００２９】
上述した実施形態では、右利き用のゴルフクラブを例示したが、本発明の実施形態は、左利き用のゴルフクラブに適用することもできる。
【符号の説明】
【００３０】
１０，２０  ゴルフクラブ
Ｓ  シャフト
【図１】
0006001517.tif 000002
【図２】
0006001517.tif 000003
【図３】
0006001517.tif 000004
【図４】
0006001517.tif 000005
【図５】
0006001517.tif 000006
【図６】
0006001517.tif 000007
【図７】
0006001517.tif 000008